(57)【要約】【課題】現像カートリッジが装着されたドラムカートリッジが装置本体に装着される状態において、現像ローラを感光ドラムに対して移動させることができる画像形成装置を提供する。【解決手段】  画像形成装置１は、開口２１を有する装置本体２と、感光ドラム３０を備え、開口２１を介して装置本体２に対して装着可能なドラムカートリッジ３と、現像ローラ４０を備え、ドラムカートリッジ３に対して装着可能な現像カートリッジ４と、を備える。ドラムカートリッジ３は、ドラムカートリッジ３に装着された現像カートリッジ４を支持し、現像ローラ４０が感光ドラム３０に対して移動するように揺動可能な揺動板５を備える。揺動板５は、ドラムカートリッジ３に対する現像カートリッジ４の装着をガイドするための第１ガイド６を有する。【選択図】図１
2019049638.tif 000002
【特許請求の範囲】
【請求項１】
開口を有する装置本体と、
感光ドラムを備え、前記開口を介して前記装置本体に対して装着可能なドラムカートリッジと、
現像ローラを備え、前記ドラムカートリッジに対して装着可能な現像カートリッジと、を備え、
前記ドラムカートリッジは、前記ドラムカートリッジに装着された前記現像カートリッジを支持し、前記現像ローラが前記感光ドラムに対して移動するように揺動可能な揺動板を備え、
前記揺動板は、前記ドラムカートリッジに対する前記現像カートリッジの装着をガイドするための第１ガイドを有することを特徴とする、画像形成装置。
【請求項２】
前記ドラムカートリッジは、前記揺動板の前記第１ガイドに前記現像カートリッジをガイドするための第２ガイドを有し、
前記揺動板は、
前記現像カートリッジが前記ドラムカートリッジに装着された状態において、前記感光ドラムに対して前記現像ローラが接触または近接している近接位置と、前記近接位置よりも前記現像ローラが前記感光ドラムから離間している離間位置との間を揺動可能であり、
前記現像カートリッジが前記ドラムカートリッジに装着され、かつ、前記離間位置にあるときに、前記現像カートリッジの前記第１ガイドから前記第２ガイドへの案内を許容することを特徴とする、請求項１に記載の画像形成装置。
【請求項３】
前記揺動板の揺動中心は、前記現像カートリッジが前記ドラムカートリッジに対して装着された状態において、前記現像ローラよりも上側に位置することを特徴とする、請求項２に記載の画像形成装置。
【請求項４】
前記現像カートリッジは、トナーを収容する筐体と、前記筐体から突出する突起と、を備え、
前記第１ガイドは、前記現像カートリッジが前記ドラムカートリッジに装着されるときに、前記突起をガイドし、
前記揺動板は、前記現像カートリッジが前記ドラムカートリッジに対して装着された状態において、前記突起を上から下に向けて押圧して、前記突起を前記第１ガイドに接触させる第１押しバネを有することを特徴とする、請求項３に記載の画像形成装置。
【請求項５】
前記現像ローラは、前記現像ローラの回転軸線に沿って延びる現像シャフトを備え、
前記突起は、前記現像シャフトの一部を含むことを特徴とする、請求項４に記載の画像形成装置。
【請求項６】
前記ドラムカートリッジは、前記揺動板に対して下側に配置され、前記揺動板を前記近接位置から前記離間位置に向かう方向に押圧する第２押しバネを備えることを特徴とする、請求項３〜請求項５のいずれか一項に記載の画像形成装置。
【請求項７】
前記装置本体は、前記ドラムカートリッジが前記装置本体に対して装着された状態において、前記第１ガイドに対して前記第２押しバネの反対側に位置する第３押しバネを備え、
前記第３押しバネは、
前記現像カートリッジが装着された前記ドラムカートリッジが前記装置本体に装着される状態において、前記現像カートリッジを押圧し、前記第２押しバネに抗して前記揺動板を前記近接位置に位置させることを特徴とする、請求項６に記載の画像形成装置。
【請求項８】
前記第３押しバネの押圧力は、前記第２押しバネの押圧力よりも大きいことを特徴とする、請求項７に記載の画像形成装置。
【請求項９】
前記ドラムカートリッジは、ハンドルを備え、
前記ハンドルは、
前記現像カートリッジが前記ドラムカートリッジに装着された状態において、前記揺動板が前記近接位置に向かうように、前記現像カートリッジを押圧する押圧位置と、
前記現像カートリッジが前記ドラムカートリッジから離脱された状態において、前記現像カートリッジに対する押圧が解除される押圧解除位置との間を回動可能であることを特徴とする、請求項２〜請求項５のいずれか一項に記載の画像形成装置。
【請求項１０】
前記装置本体は、
前記装置本体の前記開口を開放する開位置と前記開口を閉鎖する閉位置との間を移動可能なカバーと、
前記カバーの移動に連動して移動するカムと、を備え、
前記カムは、
前記ドラムカートリッジが前記装置本体に装着され、かつ、前記カバーが前記開位置に位置する状態において、前記揺動板と接触して、前記揺動板を前記離間位置に位置させる接触位置と、
前記ドラムカートリッジが前記装置本体に装着され、かつ、前記カバーが前記閉位置に位置する状態において、前記揺動板に対する接触を解除して、前記揺動板を前記近接位置に位置させる接触解除位置との間を移動可能であることを特徴とする、請求項９に記載の画像形成装置。
【請求項１１】
前記揺動板は、前記ドラムカートリッジが前記装置本体に装着され、かつ、前記カバーが前記開位置に位置する状態において、前記カムと接触する接触部を有することを特徴とする、請求項１０に記載の画像形成装置。
【請求項１２】
前記揺動板の揺動中心は、前記現像カートリッジが前記ドラムカートリッジに対して装着された状態において、前記現像ローラよりも下側に位置することを特徴とする、請求項２に記載の画像形成装置。
【請求項１３】
前記現像カートリッジは、トナーを収容する筐体と、前記筐体から突出する突起と、を備え、
前記第１ガイドは、前記現像カートリッジが前記ドラムカートリッジに装着されるときに、前記突起をガイドし、
前記揺動板は、前記現像カートリッジが前記ドラムカートリッジに対して装着された状態において、前記突起を下から上に向けて押圧して、前記突起を前記第１ガイドに接触させる第１押しバネを有することを特徴とする、請求項１２に記載の画像形成装置。
【請求項１４】
前記装置本体は、
前記装置本体の前記開口を開放する開位置と前記開口を閉鎖する閉位置との間を移動可能なカバーと、
前記カバーの移動に連動して移動する押圧部材と、を備え、
前記押圧部材は、
前記ドラムカートリッジが前記装置本体に装着され、かつ、前記カバーが前記閉位置に位置する状態において、前記揺動板を前記近接位置に向かって押圧する押圧位置と、
前記ドラムカートリッジが前記装置本体に装着され、かつ、前記カバーが前記開位置に位置する状態において、前記揺動板に対する押圧を解除し、前記揺動板を前記離間位置に位置させる押圧解除位置との間を移動可能であることを特徴とする、請求項１２または請求項１３に記載の画像形成装置。
【発明の詳細な説明】
【技術分野】
【０００１】
本発明は、画像形成装置に関する。
【背景技術】
【０００２】
従来、装置本体と、装置本体に対して装着可能なドラムカートリッジと、装置本体に対して装着可能な現像カートリッジとを備える画像形成装置が知られている（下記特許文献１参照）。
【０００３】
ドラムカートリッジは、感光ドラムを備える。現像カートリッジは、現像ローラを備える。ドラムカートリッジおよび現像カートリッジが装置本体に装着された状態において、現像ローラは、感光ドラムに接触する。
【先行技術文献】
【特許文献】
【０００４】
【特許文献１】特開２０１５−１７５９３４号公報
【発明の概要】
【発明が解決しようとする課題】
【０００５】
上記特許文献１に記載されるような画像形成装置において、ドラムカートリッジおよび現像カートリッジが装置本体に装着された状態で、現像ローラを感光ドラムに対して移動可能にした上で、現像ローラを感光ドラムに向けて押圧することで、現像ローラと感光ドラムとの位置関係を保つことが望まれている。
【０００６】
そこで、本開示の目的は、現像カートリッジが装着されたドラムカートリッジが装置本体に装着される状態において、現像ローラを感光ドラムに対して移動させることができる画像形成装置を提供することにある。
【課題を解決するための手段】
【０００７】
本発明の画像形成装置は、装置本体と、ドラムカートリッジと、現像カートリッジと、を備える。装置本体は、開口を有する。ドラムカートリッジは、感光ドラムを備える。ドラムカートリッジは、開口を介して装置本体に対して装着可能である。現像カートリッジは、現像ローラを備える。現像カートリッジは、ドラムカートリッジに対して装着可能である。ドラムカートリッジは、揺動板を備える。揺動板は、ドラムカートリッジに装着された現像カートリッジを支持し、現像ローラが感光ドラムに対して移動するように揺動可能である。揺動板は、ドラムカートリッジに対する現像カートリッジの装着をガイドするための第１ガイドを有する。
【０００８】
このような構成によれば、揺動板の第１ガイドは、ドラムカートリッジに対する現像カートリッジの装着をガイドする。そして、揺動板は、ドラムカートリッジに装着された現像カートリッジを支持する。そのため、現像カートリッジがドラムカートリッジに装着された状態において、揺動板が揺動すると、現像カートリッジは揺動板の揺動とともに移動する。その結果、現像ローラは、感光ドラムに対して移動することができる。
【発明の効果】
【０００９】
本発明の画像形成装置によれば、現像カートリッジが装着されたドラムカートリッジが装置本体に装着される状態において、現像ローラを感光ドラムに対して移動させることができる。
【図面の簡単な説明】
【００１０】
【図１】図１Ａは、本発明の画像形成装置を示す概略図であって、現像カートリッジがドラムカートリッジに装着される前の状態を示す。図１Ｂは、図１Ａに続いて、現像カートリッジがドラムカートリッジに装着された状態を示す。図１Ｃは、図１Ｂに続いて、揺動板が揺動した状態を示す。
【図２】図２は、第１実施形態の画像形成装置の断面図であって、揺動板が近接位置に位置する状態を示す。
【図３】図３は、図２に示す現像カートリッジの平面図を示す。
【図４】図４は、図２に示す装置本体およびドラムカートリッジの断面図であって、揺動板が離間位置に位置する状態を示す。
【図５】図５は、図４に示すドラムカートリッジの平面図を示す。
【図６】図６Ａは、図４に示す離間位置に位置する揺動板の拡大図である。図６Ｂは、図２に示す近接位置に位置する揺動板の拡大図である。
【図７】図７は、図２に示す画像形成装置の断面図であって、揺動板が離間位置に位置する状態を示す。なお、現像カートリッジは、仮想線にて示される。
【図８】図８は、第２実施形態の画像形成装置の断面図であって、カムが接触解除位置に位置する状態を示す。
【図９】図９は、図８に示す画像形成装置の断面図であって、カムが接触位置に位置する状態を示す。
【図１０】図１０は、図８に示す装置本体に、現像カートリッジが装着されたドラムカートリッジが装着される状態の平面図を示す。
【図１１】図１１は、図９に示すドラムカートリッジに対する現像カートリッジの装着を説明する説明図であって、現像カートリッジがハンドルに接触する状態を示す。
【図１２】図１２は、第３実施形態の画像形成装置の断面図であって、押圧部材が押圧位置に位置する状態を示す。
【図１３】図１３は、図１２に示す画像形成装置の断面図であって、押圧部材が押圧解除位置に位置する状態を示す。
【発明を実施するための形態】
【００１１】
１．画像形成装置１の概略
図１Ａから図１Ｃを参照して、画像形成装置１の概略について説明する。
【００１２】
画像形成装置１は、装置本体２と、ドラムカートリッジ３と、現像カートリッジ４とを備える。
【００１３】
１．１  装置本体２
装置本体２は、開口２１と、開口２１に連通する内部空間２Ｂとを有する。開口２１は、装置本体２の側面２Ａに設けられる。開口２１は、ドラムカートリッジ３が装置本体２に装着されるとき、および、現像カートリッジ４が装置本体２に装着されたドラムカートリッジ３に装着されるときに、共通して使用される。内部空間２Ｂは、現像カートリッジ４が装着されたドラムカートリッジ３を収容可能である。
【００１４】
１．２  ドラムカートリッジ３
ドラムカートリッジ３は、開口２１を介して装置本体２に対して装着可能である。ドラムカートリッジ３は、装置本体２に対して装着されるときに、開口２１を通って内部空間２Ｂ内に収容される。ドラムカートリッジ３は、感光ドラム３０と、揺動板５とを備える。
【００１５】
１．３  現像カートリッジ４
現像カートリッジ４は、ドラムカートリッジ３に対して装着可能である。現像カートリッジ４は、装置本体２に装着されたドラムカートリッジ３に対して装着されるときに、開口２１を通って内部空間２Ｂ内に収容される。現像カートリッジ４は、現像ローラ４０を備える。
【００１６】
１．４  揺動板５
揺動板５は、ドラムカートリッジ３に装着された現像カートリッジ４を支持する。揺動板５は、第１ガイド６を有する。第１ガイド６は、ドラムカートリッジ３に対する現像カートリッジ４の装着をガイドする。第１ガイド６は、現像カートリッジ４の装着方向に延びる。現像カートリッジ４の装着方向は、現像カートリッジ４がドラムカートリッジ３に装着されるときに第１ガイド６に案内される方向である。揺動板５は、現像カートリッジ４がドラムカートリッジ３に対して装着された状態において、現像ローラ４０が感光ドラム３０に対して移動するように揺動可能である。
【００１７】
２．第１実施形態
図２から図７を参照して、第１実施形態の画像形成装置１０について説明する。なお、第１実施形態の画像形成装置１０において、上記した画像形成装置１の概略で説明した部材と同様の部材には同様の符号を付し、その説明を省略する。
【００１８】
図２に示すように、画像形成装置１０は、装置本体２と、ドラムカートリッジ３と、現像カートリッジ４とを備える。
【００１９】
装置本体２は、本体ケーシング２０と、レーザースキャンユニット１１と、転写ローラ１２と、定着器１３と、給紙トレイ１５と、給紙部１４とを備える。
【００２０】
本体ケーシング２０は、開口２１と、カバー２２とを備える。つまり、装置本体２は、カバー２２を有する。カバー２２は、装置本体２の側壁に設けられるフロントカバーである。カバー２２は、開口２１を開放する開位置（図４参照）と、開口２１を閉鎖する閉位置との間を移動可能である。カバー２２は、回動軸２２Ａを備える。カバー２２は、開位置と閉位置との間を、回動軸２２Ａを中心として回動可能である。回動軸２２Ａは、本体ケーシング２０に回転可能に支持される。回動軸２２Ａは、開口２１よりも下方に配置される。本体ケーシング２０は、レーザースキャンユニット１１と、転写ローラ１２と、定着器１３と、給紙トレイ１５と、給紙部１４とを収容する。内部空間２Ｂは、本体ケーシング２０内において、定着器１３と閉位置に位置するカバー２２との間、かつ、レーザースキャンユニット１１と転写ローラ１２との間に位置する。
【００２１】
レーザースキャンユニット１１は、感光ドラム３０を露光するように構成される。転写ローラ１２は、感光ドラム３０の表面に形成されたトナー像を用紙に転写するように構成される。転写ローラ１２は、ドラムカートリッジ３が装置本体２に装着された状態において、感光ドラム３０の表面に接触する。定着器１３は、トナー像が転写された用紙を加熱および加圧して、用紙にトナー像を定着させるように構成される。給紙トレイ１５は、用紙を収容するように構成される。給紙部１４は、給紙トレイ１５内の用紙を、感光ドラム３０と転写ローラ１２との間に供給するように構成される。
【００２２】
２．１  現像カートリッジ４の詳細
現像カートリッジ４は、筐体４２と、現像ローラ４０とを備える。
【００２３】
筐体４２は、トナーを収容する。筐体４２は、現像ローラ４０を支持する。
【００２４】
現像ローラ４０は、感光ドラム３０にトナーを供給するように構成される。現像ローラ４０は、現像カートリッジ４がドラムカートリッジ３に装着された状態で、感光ドラム３０の表面に接触する。現像ローラ４０は、軸線方向に延びる軸線４０Ａについて回転可能である。軸線方向は、上下方向および現像カートリッジ４の装着方向の両方と交差する。好ましくは、軸線方向は、上下方向および現像カートリッジ４の装着方向の両方と直交する。現像ローラ４０は、現像ローラ４０の回転軸線４０Ａに沿って延びる現像シャフト４１を備える。
【００２５】
また、図３に示すように、現像カートリッジ４は、突起４３と、第１ボス４７Ａと、第２突起４４と、第２ボス４７Ｂとを備える。突起４３および第１ボス４７Ａは、軸線方向において筐体４２に対して一方側に位置する。第２突起４４および第２ボス４７Ｂは、軸線方向において筐体４２に対して他方側に位置する。
【００２６】
突起４３は、筐体４２から突出する。突起４３は、円柱形状を有する。突起４３は、現像シャフト４１の一部を含む。現像シャフト４１は、軸線方向における一端部４１Ａと他端部４１Ｂとを有する。具体的には、突起４３は、現像シャフト４１の一端部４１Ａを含む。第１ボス４７Ａは、筐体４２から突出する。第１ボス４７Ａは、円柱形状を有する。第１ボス４７Ａは、現像カートリッジ４の装着方向において、突起４３に対して上流側に位置する。
【００２７】
第２突起４４は、突起４３と同じ形状を有する。第２突起４４は、現像シャフト４１の一部を含む。具体的には、第２突起４４は、現像シャフト４１の他端部４１Ｂを含む。第２ボス４７Ｂは、第１ボス４７Ａと同じ形状を有する。第２ボス４７Ｂは、現像カートリッジ４の装着方向において、第２突起４４に対して上流側に位置する。
【００２８】
２．２  ドラムカートリッジ３の詳細
図４に示すように、ドラムカートリッジ３は、感光ドラム３０と、帯電ローラ３２とを備える。感光ドラム３０は、表面にトナー像が形成されるように構成される。感光ドラム３０は、軸線方向に延びる軸線３０Ａについて回転可能である。感光ドラム３０は、感光ドラム３０の回転軸線３０Ａに沿って延びるドラムシャフト３１を備える。帯電ローラ３２は、感光ドラム３０の表面を帯電するように構成される。帯電ローラ３２は、感光ドラム３０の表面に接触する。
【００２９】
また、図５に示すように、ドラムカートリッジ３は、第１サイドフレーム３８Ａと、第２サイドフレーム３８Ｂと、第１凹部３３Ａと、第２凹部３３Ｂと、第１ガイド６を有する揺動板５と、第２ガイド３４と、第３ガイド７を有する第２揺動板５５と、第４ガイド３５と、第２押しバネ３６と、第４押しバネ３７とを備える。
【００３０】
２．２．１  第１サイドフレーム３８Ａおよび第２サイドフレーム３８Ｂ
第１サイドフレーム３８Ａおよび第２サイドフレーム３８Ｂは、感光ドラム３０および帯電ローラ３２を回転可能に支持する（図４参照）。第１サイドフレーム３８Ａは、軸線方向と交差する方向に延びる。第１サイドフレーム３８Ａは、軸線方向において内面Ｓ１と外面Ｓ２とを有する。外面Ｓ２は、現像カートリッジ４がドラムカートリッジ３に装着された状態（図２参照）で、軸線方向において、内面Ｓ１に対して現像カートリッジ４の反対側に位置する。第２サイドフレーム３８Ｂは、現像カートリッジ４がドラムカートリッジ３に装着された状態（図２参照）で、軸線方向において、ドラムカートリッジ３に対して第１サイドフレーム３８Ａの反対側に位置する。第２サイドフレーム３８Ｂは、第１サイドフレーム３８Ａと同様に軸線方向と交差する方向に延び、軸線方向において内面Ｓ１と外面Ｓ２とを有する。第１凹部３３Ａ、第２ガイド３４、揺動板５および第２押しバネ３６は、第１サイドフレーム３８Ａに設けられる。第２凹部３３Ｂ、第４ガイド３５、第２揺動板５５および第４押しバネ３７は、第２サイドフレーム３８Ｂに設けられる。
【００３１】
２．２．２  第１凹部３３Ａおよび第２ガイド３４
図６Ａおよび図６Ｂに示すように、第１凹部３３Ａは、第１ガイド６を有する揺動板５を収容する。第２ガイド３４は、ドラムカートリッジ３に対する現像カートリッジ４の装着をガイドする。第２ガイド３４は、揺動板５の第１ガイド６に現像カートリッジ４をガイドする。第２ガイド３４は、現像カートリッジ４の装着方向において、第１ガイド６に対して上流側に位置する。第２ガイド３４は、溝である。なお、第２ガイド３４は、リブであってもよい。第２ガイド３４は、現像カートリッジ４の装着方向に延びる。第２ガイド３４は、現像カートリッジ４の装着方向における上流端３４Ａおよび下流端３４Ｂを有する。第２ガイド３４の上流端３４Ａは、開口２１に向かって開放される（図２参照）。第２ガイド３４の上流端３４Ａは、カバー２２が閉位置に位置する状態において、カバー２２に向かって開放される（図２参照）。第２ガイド３４の下流端３４Ｂは、第１凹部３３Ａと連通する。
【００３２】
２．２．３  揺動板５の詳細
図６Ａに示すように、揺動板５は、第１凹部３３Ａ内に配置される。揺動板５は、第１ガイド６と、第１押しバネ５１とを有する。
【００３３】
２．２．３．１  第１ガイド６
第１ガイド６は、現像カートリッジ４がドラムカートリッジ３に装着されるときに、突起４３をガイドする（図７参照）。具体的には、第１ガイド６は、ドラムカートリッジ３に対して現像カートリッジ４が装着されるときに、現像シャフト４１の一端部４１Ａを含む突起４３と、第１ボス４７Ａとをガイドする（図７参照）。第１ガイド６は、溝である。なお、第１ガイド６は、リブであってもよい。第１ガイド６は、現像カートリッジ４の装着方向に延びる。第１ガイド６は、現像カートリッジ４の装着方向における上流端６Ａおよび下流端６Ｂを有する。第１ガイド６の上流端６Ａは、現像カートリッジ４の装着方向において、第２ガイド３４の下流端３４Ｂに対して下流側に位置する。第１ガイド６の上流端６Ａは、第２ガイド３４の下流端３４Ｂに近づくにつれて幅広となる。第１ガイド６の上流端６Ａは、カバー２２が閉位置に位置する状態において、カバー２２に向かって開放される（図２参照）。第１ガイド６の下流端６Ｂは、閉鎖される。図７に示すように、第１ガイド６の下流端６Ｂは、突起４３に沿うように凹む凹部６０を有する。現像カートリッジ４がドラムカートリッジ３に装着された状態において、突起４３は、第１ガイド６の下流端６Ｂに位置し、凹部６０に嵌る。
【００３４】
２．２．３．２  第１押しバネ５１
第１押しバネ５１は、現像カートリッジ４がドラムカートリッジ３に対して装着された状態において、突起４３を上から下に向けて押圧して、突起４３を第１ガイド６に接触させる。具体的には、第１押しバネ５１は、現像カートリッジ４がドラムカートリッジ３に対して装着された状態において、突起４３を上から下に向けて押圧して、突起４３を第１ガイド６の凹部６０に接触させる。第１押しバネ５１は、第１ガイド６の下流端６Ｂに位置する突起４３に対して上側に位置する。第１押しバネ５１は、揺動板５に形成される溝５２に配置される。第１押しバネ５１は、上下方向に延びる。第１押しバネ５１の上端は、溝５２の内面に接触する。第１押しバネ５１の下端は、揺動板５に揺動可能に設けられる揺動部５３に接触する。揺動部５３は、第１ガイド６の下流端６Ｂに位置する突起４３と接触する。揺動部５３が突起４３と接触する状態において、第１押しバネ５１は、上下方向に圧縮される。第１押しバネ５１は、圧縮された状態で、弾性力により突起４３を押圧する。
【００３５】
２．２．３．３  揺動板５の離間位置および近接位置
図６Ａおよび図６Ｂに示すように、揺動板５は、現像カートリッジ４がドラムカートリッジ３に対して装着された状態において、感光ドラム３０に対して現像ローラ４０が接触または近接している近接位置（図６Ｂ参照）と、近接位置よりも現像ローラ４０が感光ドラム３０から離間している離間位置（図６Ａおよび図７参照）との間を揺動可能である。揺動板５は、現像カートリッジ４がドラムカートリッジ３に対して装着された状態において、離間位置にあるときに、現像カートリッジ４の第１ガイド６から第２ガイド３４への案内を許容する（図６Ａおよび図７参照）。
【００３６】
離間位置とは、現像カートリッジ４がドラムカートリッジ３に装着された状態で、現像ローラ４０が感光ドラム３０から離間しており、現像ローラ４０が感光ドラム３０に非接触の状態となる位置である。また、離間位置は、現像ローラ４０から感光ドラム３０へトナーの移動が不可能な位置である。
【００３７】
近接位置とは、現像カートリッジ４がドラムカートリッジ３に装着された状態かつ現像ローラ４０が感光ドラム３０に接触している状態、または、現像カートリッジ４がドラムカートリッジ３に装着された状態かつ現像ローラ４０が感光ドラム３０に対して離間位置よりも近くにありつつ現像ローラ４０が感光ドラム３０に接触していない状態となる位置である。また、近接位置は、現像ローラ４０から感光ドラム３０へトナーの移動が可能な位置である。
【００３８】
揺動板５は、離間位置と近接位置との間を、現像カートリッジ４の装着方向と交差する方向に、軸線方向に延びる揺動中心５０Ａについて揺動可能である。揺動板５の揺動中心５０Ａは、現像カートリッジ４がドラムカートリッジ３に対して装着された状態において、現像ローラ４０よりも上側に位置する（図６Ｂ参照）。揺動板５は、軸線方向と交差する方向に延びる。揺動板５は、現像カートリッジ４の装着方向において感光ドラム３０に近い一端部５Ａと、感光ドラム３０から遠い他端部５Ｂとを備える。他端部５Ｂは、ドラムカートリッジ３が装置本体２に装着された状態において、一端部５Ａよりも開口２１に近い（図４参照）。揺動中心５０Ａは、揺動板５の一端部５Ａに位置する。揺動板５は、揺動板５の揺動中心５０Ａに沿って延びる揺動シャフト５０を備える。揺動シャフト５０は、第１サイドフレーム３８Ａに回転可能に支持される。
【００３９】
図６Ａに示すように、揺動板５が離間位置に位置する状態において、第１ガイド６の上流端６Ａは、第２ガイド３４の下流端３４Ｂに対して、現像シャフト４１が第２ガイド３４から第１ガイド６へ移動する際に、第１ガイド６または第２ガイド３４に引っかかることなく移動可能な位置に位置する。揺動板５が離間位置に位置する状態において、第１ガイド６の上流端６Ａは第２ガイド３４の第２ガイド３４と一致する。具体的には、揺動板５が離間位置にある状態において、第１ガイド６の上流端６Ａにおける上端６ＡＡと、第２ガイド３４の下流端３４Ｂにおける下端３４ＢＢとは、間隔Ｌ１を空けて位置する。軸線方向と直交し、かつ、上端６ＡＡおよび下端３４ＢＢを通過する方向において、間隔Ｌ１の寸法は、現像シャフト４１の外径よりも長く、突起４３の外径よりも長い。これにより、揺動板５が離間位置に位置する状態において、第１ガイド６の上流端６Ａは、現像シャフト４１の一端部４１Ａを含む突起４３の通過を許容する。
【００４０】
図６Ｂに示すように、揺動板５が近接位置に位置する状態において、第１ガイド６の上流端６Ａは第２ガイド３４の下流端３４Ｂに対して離間位置よりもずれる。揺動板５が近接位置に位置する状態において、第１ガイド６の上流端６Ａは、第２ガイド３４の下流端３４Ｂに対して、現像シャフト４１が第１ガイド６から第２ガイド３４へ移動する際に、第１ガイド６または第２ガイド３４に引っかかる位置に位置する。つまり、揺動板５が離間位置から近接位置に揺動すると、第１ガイド６の上流端６Ａは、第２ガイド３４の下流端３４Ｂに対して、現像シャフト４１が第１ガイド６から第２ガイド３４へ移動する際に第１ガイド６または第２ガイド３４に引っかかる程度にずれる。具体的には、揺動板５が近接位置にある状態において、第１ガイド６の上流端６Ａにおける上端６ＡＡと、第２ガイド３４の下流端３４Ｂにおける下端３４ＢＢとは、間隔Ｌ２を空けて位置する。軸線方向と直交し、かつ、上端６ＡＡおよび下端３４ＢＢを通過する方向において、間隔Ｌ２の寸法は、突起４３の外径よりも短く、現像シャフト４１の外径よりも短い。本実施形態において、間隔Ｌ２は、突起４３の外径よりもわずかに大きい。突起４３は、現像カートリッジ４を強く押し込むことにより、第２ガイド３４から第１ガイド６へ移動可能ではある。これにより、揺動板５が近接位置に位置する状態において、第１ガイド６の上流端６Ａは、現像シャフト４１の一端部４１Ａを含む突起４３の通過に干渉する。なお、間隔Ｌ２を突起４３の外径以下にすることで、第１ガイド６の上流端６Ａは、現像シャフト４１の一端部４１Ａを含む突起４３の通過を禁止することもできる。
【００４１】
図６Ａに示すように、現像カートリッジ４がドラムカートリッジ３に装着されていない状態において、揺動板５は、離間位置に位置する。ドラムカートリッジ３は、第２押しバネ３６を備える。第２押しバネ３６は、揺動板５を近接位置から離間位置に向かう方向に押圧する。第２押しバネ３６は、揺動板５に対して下側に配置される。具体的には、第２押しバネ３６は、揺動板５の他端部５Ｂに対して下側に配置される。第２押しバネ３６は、揺動板５の他端部５Ｂと第１凹部３３Ａの内面との間に位置する。第２押しバネ３６は、第１押しバネ５１よりも揺動中心５０Ａから離れて位置する。第２押しバネ３６は、上下方向に延びる。第２押しバネ３６は、揺動板５の他端部５Ｂと第１凹部３３Ａの内面との間に挟まれた状態で、上下方向に圧縮される。第２押しバネ３６は、圧縮された状態で、弾性力により揺動板５の他端部５Ｂを、下から上に向かって押圧する。これにより、第２押しバネ３６は、揺動板５を近接位置から離間位置に向かう方向に押圧する。
【００４２】
また、図６Ｂに示すように、現像カートリッジ４が装着されたドラムカートリッジ３が装置本体２に装着された状態において、揺動板５は、近接位置に位置する。これにより、現像ローラ４０は、感光ドラム３０に接触する。図２に示すように、装置本体２は、第３押しバネ２８を備える。第３押しバネ２８は、現像カートリッジ４が装着されたドラムカートリッジ３が装置本体２に装着される状態において、現像カートリッジ４を押圧し、第２押しバネ３６に抗して揺動板５を近接位置に位置させる。第３押しバネ２８の押圧力は、第２押しバネ３６の押圧力よりも大きい。第３押しバネ２８は、ドラムカートリッジ３が装置本体２に対して装着された状態において、第１ガイド６に対して第２押しバネ３６の反対側に位置する。第３押しバネ２８は、現像カートリッジ４が装着されるドラムカートリッジ３が装置本体２に装着された状態で、筐体４２の上側に位置する。第３押しバネ２８は、上下方向に延びる。第３押しバネ２８の上端は、装置本体２に固定される。第３押しバネ２８の下端には、接触部２８Ａが固定される。接触部２８Ａは、現像カートリッジ４が装置本体２に装着された状態で、筐体４２、具体的には筐体４２が有する凹部４８と接触する（図３参照）。接触部２８Ａが筐体４２と接触する状態で、第３押しバネ２８は、上下方向に圧縮される。第３押しバネ２８は、圧縮された状態で、弾性力により筐体４２を、上から下に向かって押圧する。第３押しバネ２８は、現像カートリッジ４が装着されたドラムカートリッジ３が装置本体２に対して装着された状態において、筐体４２を押圧することにより、第２押しバネ３６に抗して揺動板５を近接位置に位置させる。
【００４３】
２．２．４  第２凹部３３Ｂ、第４ガイド３５、第２揺動板５５および第４押しバネ３７
図５に示すように、第２凹部３３Ｂは、第３ガイド７を有する第２揺動板５５を収容する。第４ガイド３５は、第２ガイド３４とともに、ドラムカートリッジ３に対する現像カートリッジ４の装着をガイドする。第４ガイド３５は、第２揺動板５５の第３ガイド７に現像カートリッジ４をガイドする。第４ガイド３５は、現像カートリッジ４の装着方向において第３ガイド７に対して上流側に位置する。第４ガイド３５は、第２ガイド３４と同じ形状を有する。第２揺動板５５は、軸線方向において、揺動板５と間隔を隔てて位置する。第２揺動板５５は、揺動板５と同じ形状を有する。第３ガイド７は、第１ガイド６と同じ形状を有する。第２揺動板５５は、第２凹部３３Ｂ内に配置される。第２揺動板５５は、揺動板５と同様に離間位置と近接位置との間を揺動可能である。第４押しバネ３７は、第２押しバネ３６と同じ形状を有する。第４押しバネ３７は、第２揺動板５５を近接位置から離間位置に向かう方向に押圧する。また、図３に示すように、装置本体２は、第３押しバネ２８と同じ形状の第３押しバネ２９とを備える。第３押しバネ２９は、現像カートリッジ４が装着されたドラムカートリッジ３が装置本体２に装着される状態において、現像カートリッジ４を押圧し、第４押しバネ３７に抗して第２揺動板５５を近接位置に位置させる。
【００４４】
２．３  ドラムカートリッジ３および現像カートリッジ４の装着
次いで、装置本体２に対するドラムカートリッジ３および現像カートリッジ４の装着について説明する。以下では、現像カートリッジ４は、ドラムカートリッジ３が装置本体２に装着された後に、装置本体２内のドラムカートリッジ３に装着される。なお、現像カートリッジ４がドラムカートリッジ３に装着された後に、そのドラムカートリッジ３が装置本体２に装着されてもよい。
【００４５】
図４に示すように、ユーザーは、まず、カバー２２を開位置に位置させる。そして、ドラムカートリッジ３を装置本体２に装着する。このとき、揺動板５は、離間位置に位置する。次いで、図７に示すように、ユーザーが、現像カートリッジ４を、第２ガイド３４に嵌めて感光ドラム３０に向かって押し込むと、現像カートリッジ４は、第２ガイド３４によってガイドされた後、第１ガイド６にガイドされる。このとき、突起４３は、第２ガイド３４を通過した後、第１ガイド６の下流端６Ｂに到達する。そして、突起４３は、凹部６０に嵌る。また、第１ボス４７Ａは、第２ガイド３４を通過した後、第１ガイド６内に位置する。これによって、現像カートリッジ４は、揺動板５に支持される。また、現像カートリッジ４が揺動板５に支持された状態において、図２に示すように、第３押しバネ２８は、現像カートリッジ４を押圧する。これにより、揺動板５は、離間位置から近接位置に揺動する。そして、現像ローラ４０は、感光ドラム３０と接触する。これにより、ドラムカートリッジ３に対する現像カートリッジ４の装着が完了する。
【００４６】
２．４  作用効果
画像形成装置１０によれば、揺動板５の第１ガイド６は、ドラムカートリッジ３に対する現像カートリッジ４の装着をガイドする。そのため、現像カートリッジ４をドラムカートリッジ３に円滑に装着することができる。そして、揺動板５は、ドラムカートリッジ３に装着された現像カートリッジ４を支持する。そのため、現像カートリッジ４がドラムカートリッジ３に装着された状態において、揺動板５が揺動すると、現像カートリッジ４は揺動板５の揺動とともに移動する。その結果、現像ローラ４０を感光ドラム３０に対して移動させることができる。
【００４７】
３．第２実施形態
図８から図１１を参照して、第２実施形態の画像形成装置７０について説明する。なお、第２実施形態の画像形成装置７０において、上記した第１実施形態で説明した部材と同様の部材には同様の符号を付し、その説明を省略する。
【００４８】
図８および図９に示すように、画像形成装置７０において、揺動板５は、カバー２２の移動に連動して、離間位置と近接位置との間を移動する。具体的には、ドラムカートリッジ３が装置本体２に装着された状態において、揺動板５は、カバー２２が閉位置に位置すると近接位置に位置し（図８参照）、カバー２２が開位置に位置すると離間位置に位置する（図９参照）。また、現像カートリッジ４が装着されたドラムカートリッジ３が装置本体２に対して装着される状態において、揺動板５が近接位置に位置すると、現像ローラ４０は感光ドラム３０に接触し、揺動板５が離間位置に位置すると、現像ローラ４０は感光ドラム３０から離間する。以下、第２実施形態の画像形成装置７０の詳細な構造について説明する。
【００４９】
３．１  装置本体２の詳細
装置本体２は、カム７１と、連結部材７３とを備える。
【００５０】
カム７１は、ドラムカートリッジ３が装置本体２に装着され、かつ、カバー２２が開位置に位置する状態において、揺動板５と接触して、揺動板５を離間位置に位置させる接触位置（図９参照）と、ドラムカートリッジ３が装置本体２に装着され、かつ、カバー２２が閉位置に位置する状態において、揺動板５に対する接触を解除して、揺動板５を近接位置に位置させる接触解除位置（図８参照）との間を移動可能である。カム７１は、カバー２２の移動に連動して移動する。
【００５１】
図９に示すように、カム７１は、連結部材７３に支持される。連結部材７３は、カバー２２とカム７１とを連結する。連結部材７３は、カバー２２の移動とカム７１の移動とを連動させる。連結部材７３は、カバー２２が開位置から閉位置に移動するときに、カム７１を接触位置から接触解除位置に移動させる。連結部材７３は、カバー２２が閉位置から開位置に移動するときに、カム７１を接触解除位置から接触位置に移動させる。連結部材７３は、第１連結部７４と、第２連結部７５とを備える。第１連結部７４は、カバー２２に固定される。第１連結部７４は、長穴７６を有する。第２連結部７５は、カム７１と第１連結部７４とを連結する。第２連結部７５は、カム７１を支持する一端と、第１連結部７４に連結される他端とを有する。第２連結部７５の一端は、第２連結部７５の他端から離れて位置する。カム７１は、第２連結部７５の一端における上面に配置される。第２連結部７５は、ボス７５Ａを備える。ボス７５Ａは、第２連結部７５の他端に位置する。ボス７５Ａは、軸線方向に延びる。ボス７５Ａは、第１連結部７４の長穴７６に嵌る。長穴７６は、カバー２２の回動方向に延びる。長穴７６は、カバー２２の回動方向において一端と他端とを有する。ボス７５Ａは、カバー２２が開位置に位置する状態において、長穴７６の一端に位置して、第１連結部７４と接触する。これによって、第２連結部７５は第１連結部７４により引っ張られ、カム７１は接触位置に位置する。カム７１は、接触面７１Ａと、傾斜面７１Ｂとを有する。接触面７１Ａは、カム７１が接触位置に位置するときに揺動板５の一部、具体的には接触部７７（後述）と接触する。傾斜面７１Ｂは、第２連結部７５の上面と接触面７１Ａとを連結する。
【００５２】
図８に示すように、ボス７５Ａは、カバー２２が開位置から閉位置に移動するときに、長穴７６の一端から他端に移動して、第１連結部７４と接触する。これによって、第２連結部７５は、第１連結部７４により押圧され、カム７１を接触位置から接触解除位置に移動させる。カム７１は、カム７１が接触解除位置に位置するときに、揺動板５から離間する。具体的には、カム７１の接触面７１Ａは、カム７１が接触解除位置に位置するときに接触部７７（後述）から離間する。
【００５３】
３．２  揺動板５の詳細
図１０に示すように、揺動板５は、ドラムカートリッジ３が装置本体２に装着され、かつ、カバー２２が開位置に位置する状態において、カム７１と接触する接触部７７を有する（図９参照）。揺動板５は、軸線方向において内面Ｓ１と外面Ｓ２とを有する。外面Ｓ２は、現像カートリッジ４がドラムカートリッジ３に装着された状態で、軸線方向において、内面Ｓ１に対して現像カートリッジ４の反対側に位置する。接触部７７は、揺動板５の外面Ｓ２に位置する。接触部７７は、揺動板５から突出する。接触部７７は、第１サイドフレーム３８Ａが有する穴７８に嵌る。接触部７７は、軸線方向に延びる。接触部７７は、軸線方向における一端および他端を有する。接触部７７の一端は、第１サイドフレーム３８Ａに対して、ドラムカートリッジ３に装着される現像カートリッジ４の反対側に位置する。接触部７７の他端は、揺動板５に接続される。接触部７７の一端は、カム７１が接触位置に位置する状態において、カム７１の接触面７１Ａと接触する（図９参照）。接触部７７の一端は、カム７１が接触解除位置に位置する状態において、カム７１の接触面７１Ａから離間する（図８参照）。接触部７７の一端は、カム７１が接触解除位置に位置する状態において、カム７１の傾斜面７１Ｂの上側に間隔を空けて位置する（図８参照）。
【００５４】
３．３  ドラムカートリッジ３の詳細
ドラムカートリッジ３は、ハンドル８０をさらに備える。ハンドル８０は、ドラムカートリッジ３が装置本体２に装着されるとき、または、ドラムカートリッジ３が装置本体２から離脱されるときに、ユーザーによって掴まれる。ハンドル８０は、現像カートリッジ４がドラムカートリッジ３に装着された状態において、揺動板５が近接位置に向かうように、現像カートリッジ４を押圧する押圧位置（図８参照）と、現像カートリッジ４がドラムカートリッジ３から離脱された状態において、現像カートリッジ４に対する押圧が解除される押圧解除位置（図９参照）との間を回動可能である。ハンドル８０は、押圧位置と押圧解除位置との間を、軸線方向に延びる回動軸線について回動可能である。
【００５５】
ハンドル８０は、第１回動シャフト８０Ａと、第２回動シャフト８０Ｂと、第１アーム８０Ｃと、第２アーム８０Ｄと、連結部８０Ｅと、第１ねじりコイルバネ８０Ｆ（図９参照）と、第２ねじりコイルバネ８０Ｇとを備える。第１回動シャフト８０Ａおよび第２回動シャフト８０Ｂは、ハンドル８０の回動軸線に沿って延びる。第１回動シャフト８０Ａは、第１サイドフレーム３８Ａに回転可能に支持される。第２回動シャフト８０Ｂは、第２サイドフレーム３８Ｂに回転可能に支持される。第１アーム８０Ｃは、第１回動シャフト８０Ａと連結部８０Ｅとを連結する。第１アーム８０Ｃは、第１回動シャフト８０Ａに固定される一端と、一端から離れて位置する他端とを備える。第２アーム８０Ｄは、第２回動シャフト８０Ｂと連結部８０Ｅとを連結する。第２アーム８０Ｄは、第２回動シャフト８０Ｂに固定される一端と、一端から離れて位置する他端とを備える。連結部８０Ｅは、第１アーム８０Ｃの他端と第２アーム８０Ｄの他端とを連結する。第１ねじりコイルバネ８０Ｆおよび第２ねじりコイルバネ８０Ｇは、ハンドル８０が押圧位置から押圧解除位置に向かうように、ハンドル８０を押圧する。連結部８０Ｅには、一対の当接部８０Ｈ、８０Ｉが設けられている。一対の当接部８０Ｈ、８０Ｉの外径は、連結部８０Ｅの外径よりも長い。
【００５６】
図９に示すように、第１ねじりコイルバネ８０Ｆには、第１回動シャフト８０Ａが通される。第１ねじりコイルバネ８０Ｆの一端は、第１サイドフレーム３８Ａに固定される。第１ねじりコイルバネ８０Ｆの他端は第１アーム８０Ｃに固定される。第２ねじりコイルバネ８０Ｇには、第２回動シャフト８０Ｂが通される（図１０参照）。第２ねじりコイルバネ８０Ｇの一端は、第２サイドフレーム３８Ｂに固定される（図１０参照）。第２ねじりコイルバネ８０Ｇの他端は、第２アーム８０Ｄに固定される（図１０参照）。
【００５７】
ハンドル８０が押圧解除位置に位置する状態において、連結部８０Ｅは、現像カートリッジ４の装着方向において、第２ガイド３４に対して上流側に位置する。
【００５８】
また、図８に示すように、現像カートリッジ４がドラムカートリッジ３に装着された状態において、ハンドル８０は、現像カートリッジ４と接触して押圧位置に位置する。ハンドル８０が押圧位置に位置する状態において、連結部８０Ｅは、筐体４２の上側に位置する。ハンドル８０が押圧位置に位置する状態において、連結部８０Ｅの当接部８０Ｈ、８０Ｉは、第１ねじりコイルバネ８０Ｆおよび第２ねじりコイルバネ８０Ｇの押圧力により、筐体４２を上から下に押圧する。これにより、揺動板５を確実に近接位置に位置させる。
【００５９】
３．４  他の構成
なお、図１０に示すように、装置本体２は、カム７１と同じ形状の第２カム７２と、連結部材７３と同じ形状の第２連結部材７９とを備える。第２カム７２は、カム７１と同様に、第２揺動板５５を離間位置に位置させる接触位置と第２揺動板５５を近接位置に位置させる接触解除位置との間を移動可能である。第２連結部材７９は、カバー２２の移動と第２カム７２の移動とを連動させる。また、第２揺動板５５は、接触部７７と同じ形状の第２接触部８１を有する。第２接触部８１は、ドラムカートリッジ３が装置本体２に装着され、かつ、カバー２２が開位置に位置する状態において、第２カム７２と接触する。
【００６０】
３．５  ドラムカートリッジ３および現像カートリッジ４の装着
図１１に示すように、ユーザーが、装置本体２に装着されたドラムカートリッジ３に現像カートリッジ４を装着するときに、現像カートリッジ４は、押圧解除位置に位置するハンドル８０と接触する。そして、ユーザーが、現像カートリッジ４を、第２ガイド３４に嵌めて感光ドラム３０に向かって押し込むと、ハンドル８０は、第１ねじりコイルバネ８０Ｆおよび第２ねじりコイルバネ８０Ｇの押圧力に抗して、押圧解除位置から押圧位置に向かって回動する。そして、図８に示すように、現像カートリッジ４がドラムカートリッジ３に装着されると、ハンドル８０は、現像カートリッジ４を上から下に向かって押圧する。このとき、ハンドル８０の当接部８０Ｈ、８０Ｉは、軸線方向において、現像ローラ４０のうち感光ドラム３０と接触する本体部分より、外側に位置している。すなわち、現像ローラ４０のうち感光ドラム３０と接触する本体部分は、軸線方向において、ハンドル８０の当接部８０Ｈと、ハンドル８０の当接部８０Ｉとの間に位置する。このため、ハンドル８０の当接部８０Ｈ、８０Ｉは、現像ローラ４０のうち感光ドラム３０と接触する本体部分に接触することがない。
【００６１】
３．６  作用効果
図８および図９に示すように、カム７１は、カバー２２が開位置に位置する状態において、揺動板５と接触して、揺動板５を離間位置に位置させる接触位置に位置し（図９参照）、カバー２２が閉位置に位置する状態において、揺動板５に対する接触を解除して、揺動板５を近接位置に位置させる接触解除位置に位置する（図８参照）。そして、カム７１は、カバー２２の移動に連動して、接触位置と接触解除位置との間を移動する。
【００６２】
そのため、ユーザーが現像カートリッジ４をドラムカートリッジ３に装着するときに、カバー２２を開位置に位置させると、揺動板５は、カム７１により離間位置に位置する。現像カートリッジ４をドラムカートリッジ３に装着した後、ユーザーが、カバー２２を閉位置に移動させると、揺動板５は、近接位置に位置する。これにより、現像ローラ４０を感光ドラム３０に対して移動させ、現像ローラ４０を感光ドラム３０に接触させることができる。
【００６３】
また、ユーザーが現像カートリッジ４をドラムカートリッジ３から離脱するために、カバー２２を閉位置から開位置に移動させると、揺動板５は、カム７１により近接位置から離間位置に移動する。これにより、現像ローラ４０は、感光ドラム３０から離間する。その後、現像カートリッジ４は、ドラムカートリッジ３から離脱される。つまり、現像ローラ４０を感光ドラム３０から離間させた後、現像カートリッジ４をドラムカートリッジ３から離脱させることができる。そのため、現像カートリッジ４をドラムカートリッジ３から円滑に離脱させることができる。また、第２実施形態においても、上記した第１実施形態と同様の作用効果を得ることができる。
【００６４】
４．第３実施形態
図１２および図１３を参照して、第３実施形態の画像形成装置９０について説明する。なお、第３実施形態の画像形成装置９０において、上記した第１実施形態の画像形成装置１０で説明した部材と同様の部材には同様の符号を付し、その説明を省略する。
【００６５】
画像形成装置９０において、揺動板５の揺動中心５０Ａは、現像カートリッジ４がドラムカートリッジ３に対して装着された状態において、現像ローラ４０よりも下側に位置する。揺動板５は、カバー２２が閉位置に位置する状態において近接位置に位置する（図１２参照）。揺動板５が近接位置にある状態において、第１ガイド６の上流端６Ａにおける下端６ＡＢと、第２ガイド３４の下流端３４Ｂにおける上端３４ＢＡとは、間隔Ｌ４を空けて位置する。間隔Ｌ４は、現像カートリッジ４の突起４３の半径よりも短い。よって、突起４３は、第１ガイド６と第２ガイド３４との間を移動することができない。すなわち、揺動板５は、現像カートリッジ４の第１ガイド６から第２ガイド３４への案内を禁止する。揺動板５は、カバー２２が開位置に位置する状態において離間位置に位置する（図１３参照）。揺動板５が離間位置にある状態において、第１ガイド６の上流端６Ａと第２ガイド３４の下流端３４Ｂとは、ほぼ一致し、上流端６Ａにおける下端６ＡＢと、下流端３４Ｂにおける上端３４ＢＡとは、間隔Ｌ３を空けて位置する。間隔Ｌ３は、突起４３の外径よりも長い。以下、第３実施形態の画像形成装置９０の詳細な構造について説明する。
【００６６】
４．１  装置本体２の詳細
図１２に示すように、装置本体２は、押圧部材９１と、連結部材７３とをさらに備える。押圧部材９１は、ドラムカートリッジ３が装置本体２に装着され、かつ、カバー２２が閉位置に位置する状態において、揺動板５を近接位置に向かって押圧する押圧位置（図１２参照）と、ドラムカートリッジ３が装置本体２に装着され、かつ、カバー２２が開位置に位置する状態において、揺動板５に対する押圧を解除し、揺動板５を離間位置に位置させる押圧解除位置（図１３参照）との間を移動可能である。押圧部材９１は、カバー２２の移動に連動して移動する。
【００６７】
押圧部材９１は、連結部材７３が備える第２連結部７５に支持される。押圧部材９１は、第２連結部７５の上面に配置される。押圧部材９１は、押圧バネ９３と、押圧板９４とを備える。押圧バネ９３は、押圧部材９１が押圧位置に位置する状態において、揺動板５を下から上に向かって押圧する。具体的には、押圧バネ９３は、押圧部材９１が押圧位置に位置する状態において、接触部７７を下から上に向かって押圧する。押圧バネ９３は、上下方向に延びる。押圧バネ９３は、第２連結部７５と押圧板９４との間に配置される。押圧バネ９３の下端は、第２連結部７５の上面に接触する。押圧バネ９３の上端は、押圧板９４に接触する。押圧板９４は、第２連結部７５に揺動可能に設けられる。押圧板９４は、押圧部材９１が押圧位置に位置する状態において、揺動板５と接触する。具体的には、押圧板９４は、押圧部材９１が押圧位置に位置する状態において、接触部７７と接触する。押圧板９４が揺動板５と接触する状態において、押圧バネ９３は、上下方向に圧縮される。押圧バネ９３は、圧縮された状態で、弾性力により揺動板５を押圧する。これにより、押圧部材９１は、揺動板５を近接位置に向かって押圧する。押圧板９４は、押圧部材９１が押圧解除位置に位置する状態において、揺動板５から離間する（図１３参照）。これにより、押圧部材９１は、揺動板５に対する押圧を解除する。すると、揺動板５は、自重により近接位置から離間位置に移動する。
【００６８】
連結部材７３は、カバー２２と押圧部材９１とを連結する。連結部材７３は、カバー２２の移動と押圧部材９１の移動とを連動させる。連結部材７３は、カバー２２が開位置から閉位置に移動するときに、押圧部材９１を押圧解除位置から押圧位置に移動させる。連結部材７３は、カバー２２が閉位置から開位置に移動するときに、押圧部材９１を押圧位置から押圧解除位置に移動させる。
【００６９】
４．２  揺動板５の詳細
揺動板５は、第１押しバネ９７をさらに備える。第１押しバネ９７は、現像カートリッジ４がドラムカートリッジ３に対して装着された状態において、突起４３を下から上に向けて押圧して、突起４３を第１ガイド６に接触させる。具体的には、第１押しバネ９７は、現像カートリッジ４が装置本体２に対して装着された状態において、突起４３を下から上に向けて押圧して、突起４３を第１ガイド６の下流端６Ｂに接触させる。第１押しバネ９７は、現像カートリッジ４が装置本体２に装着された状態において、第１ガイド６の下流端６Ｂに位置する突起４３の下側に位置する。第１押しバネ９７は、揺動板５に形成される溝５２に配置される。第１押しバネ９７は、上下方向に延びる。第１押しバネ９７の下端は、溝５２の内面に接触する。第１押しバネ９７の上端は、揺動板５に揺動可能に設けられる揺動部５３と接触する。揺動部５３は、第１ガイド６の下流端６Ｂに位置する突起４３と接触する。揺動部５３が突起４３と接触する状態において、第１押しバネ９７は、上下方向に圧縮される。第１押しバネ９７は、圧縮された状態で、弾性力により突起４３を押圧する。
【００７０】
４．３  作用効果
第３実施形態においても、上記した第１実施形態および第２実施形態と同様の作用効果を得ることができる。
【符号の説明】
【００７１】
１      画像形成装置
２      装置本体
３      ドラムカートリッジ
４      現像カートリッジ
５      揺動板
６      第１ガイド
６Ａ    第１ガイドの上流端
６Ｂ    第１ガイドの下流端
１０    画像形成装置
２１    開口
２２    カバー
２８    第３押しバネ
３０    感光ドラム
３１    ドラムシャフト
３４    第２ガイド
３６    第２押しバネ
４０    現像ローラ
４１    現像シャフト
４２    筐体
４３    突起
５１    第１押しバネ
７０    画像形成装置
７１    カム
７７    接触部
９０    画像形成装置
９１    押圧部材
９７    第１押しバネ
【図１】
2019049638.tif 000003
【図２】
2019049638.tif 000004
【図３】
2019049638.tif 000005
【図４】
2019049638.tif 000006
【図５】
2019049638.tif 000007
【図６】
2019049638.tif 000008
【図７】
2019049638.tif 000009
【図８】
2019049638.tif 000010
【図９】
2019049638.tif 000011
【図１０】
2019049638.tif 000012
【図１１】
2019049638.tif 000013
【図１２】
2019049638.tif 000014
【図１３】
2019049638.tif 000015